(57)【要約】【課題】より簡易な入力操作で多様性のある広告を作成する。【解決手段】サーバ４は、ユーザにより入力されたＰＯＰの用途に基づき、ＰＯＰデータを構成するＰＯＰデータ構成要素としてのレイアウトを選定し、ユーザにより入力されたテキスト情報を形態素解析して形態素を抽出し、抽出された形態素に基づき、レイアウト以外のＰＯＰデータ構成要素を選定し、選定されたレイアウトと、レイアウト以外のＰＯＰデータ構成要素と、を組み合わせてＰＯＰ候補データを作成する。【選択図】図８
2019169140.tif 000002
【特許請求の範囲】
【請求項１】
ユーザにより入力された広告の用途に基づき、広告を構成する広告構成要素としてのレイアウトを選定する第１の選定手段と、
ユーザにより入力されたテキスト情報を形態素解析して形態素を抽出する抽出手段と、
前記抽出手段により抽出された形態素に基づき、前記レイアウト以外の広告構成要素を選定する第２の選定手段と、
前記第１の選定手段により選定されたレイアウトと、前記第２の選定手段により選定された前記レイアウト以外の広告構成要素と、を組み合わせて広告候補を作成する作成手段と、
を備えることを特徴とする広告管理装置。
【請求項２】
前記広告の用途は、店外用のポスター、店内用のポスター、スマートホン向けのホームページ、ＰＣ向けのホームページ、及び、ＳＮＳ投稿用の画像のいずれかであることを特徴とする請求項１に記載の広告管理装置。
【請求項３】
前記第１の選定手段は、前記広告の用途に応じた所定の条件を満たすレイアウト候補ごとに評価値を導出し、導出された評価値に基づいてレイアウトを選定することを特徴とする請求項１又は２に記載の広告管理装置。
【請求項４】
前記第１の選定手段は、さらにユーザにより入力された画像データの数量に基づき、前記レイアウト候補を抽出することを特徴とする請求項３に記載の広告管理装置。
【請求項５】
前記テキスト情報は、対象となる商品又は役務の名称、及びキャッチコピーのいずれかであることを特徴とする請求項１〜４のいずれか一項に記載の広告管理装置。
【請求項６】
前記第２の選定手段は、前記抽出手段により抽出された形態素から、前記レイアウト以外の広告構成要素ごとに評価値を導出し、導出された評価値に基づいて広告構成要素を選定することを特徴とする請求項１〜５のいずれか一項に記載の広告管理装置。
【請求項７】
コンピュータを、
ユーザにより入力された広告の用途に基づき、広告を構成する広告構成要素としてのレイアウトを選定する第１の選定手段、
ユーザにより入力されたテキスト情報を形態素解析して形態素を抽出する抽出手段、
前記抽出手段により抽出された形態素に基づき、前記レイアウト以外の広告構成要素を選定する第２の選定手段、
前記第１の選定手段により選定されたレイアウトと、前記第２の選定手段により選定された前記レイアウト以外の広告構成要素と、を組み合わせて広告候補を作成する作成手段、
として機能させることを特徴とするプログラム。
【発明の詳細な説明】
【技術分野】
【０００１】
本発明は、広告管理装置及びプログラムに関する。
【背景技術】
【０００２】
従来、販促効果を高める目的でＰＯＰ（point of purchase）等の広告を作成する広告
作成装置の開発が進められている。当該広告作成装置としては、例えば、ユーザにより選択されたレイアウト、レシピ例、ロゴ、ユーザにより入力されたコメント、売価等の内容に基づき一つのＰＯＰを作成する印刷物作成システム等が提案されている（例えば、特許文献１参照）。
【先行技術文献】
【特許文献】
【０００３】
【特許文献１】特開２００５−１２８６７７号公報
【発明の概要】
【発明が解決しようとする課題】
【０００４】
しかしながら、上記従来の技術にあっては、ＰＯＰを構成する要素ごとにユーザが逐一選択又は入力する必要があり、ユーザにとって煩雑であった。しかも、作成されるＰＯＰは、ユーザにより選択又は入力された情報がそれぞれ所定の位置に配置されて構成されたものであり、ユーザの想定範囲内のデザインしか作成されなかった。
【０００５】
そこで、本発明は、より簡易な入力操作で多様性のある広告を作成できる広告管理装置及びプログラムを提供することを目的としている。
【課題を解決するための手段】
【０００６】
上記の課題を解決するため、請求項１に記載の発明の広告管理装置は、
ユーザにより入力された広告の用途に基づき、広告を構成する広告構成要素としてのレイアウトを選定する第１の選定手段と、
ユーザにより入力されたテキスト情報を形態素解析して形態素を抽出する抽出手段と、
前記抽出手段により抽出された形態素に基づき、前記レイアウト以外の広告構成要素を選定する第２の選定手段と、
前記第１の選定手段により選定されたレイアウトと、前記第２の選定手段により選定された前記レイアウト以外の広告構成要素と、を組み合わせて広告候補を作成する作成手段と、
を備えることを特徴とする。
【発明の効果】
【０００７】
本発明によれば、より簡易な入力操作で多様性のある広告を作成できる広告管理装置及びプログラムを提供することができる。
【図面の簡単な説明】
【０００８】
【図１】本実施形態の広告管理システムを示す概略構成図である。
【図２】サーバの機能構成を示すブロック図である。
【図３】記憶部に記憶されているレイアウトデータテーブルの一例を示す図である。
【図４】記憶部に記憶されているアイキャッチデータテーブルの一例を示す図である。
【図５】記憶部に記憶されている選定条件データテーブルの一例を示す図である。
【図６】記憶部に記憶され、ＰＯＰデータ作成処理が行われる度に更新される学習値データテーブルの一例を示す図である。
【図７】携帯端末の機能構成を示すブロック図である。
【図８】サーバにより行われるＰＯＰデータ作成処理の一例を示すフローチャートである。
【図９】情報入力前の１頁目の入力画面を示す図である。
【図１０】情報入力後の１頁目の入力画面を示す図である。
【図１１】情報入力前の２頁目の入力画面を示す図である。
【図１２】作成される２５種のＰＯＰ候補データの例を示す図である。
【図１３】ＰＯＰの用途を「店外用のポスター」又は「ＳＮＳ投稿用の画像」として作成された２５種のＰＯＰ候補データの中から選定された一のＰＯＰ候補データの一例を示す図である。
【図１４】ＰＯＰの用途を「店内用のポスター」として作成された２５種のＰＯＰ候補データの中から選定された一のＰＯＰ候補データの一例を示す図である。
【図１５】ＰＯＰの用途を「スマホ向けのホームページ」として作成された２５種のＰＯＰ候補データの中から選定された一のＰＯＰ候補データの一例を示す図である。
【図１６】ＰＯＰの用途を「ＰＣ向けのホームページ」として作成された２５種のＰＯＰ候補データの中から選定された一のＰＯＰ候補データの一例を示す図である。
【図１７】サーバにより行われる第１取得処理の一例を示すフローチャートである。
【図１８】サーバにより行われる第２取得処理の一例を示すフローチャートである。
【図１９】ユーザにより入力された情報から得られる形態素特性値合計を示す図である。
【発明を実施するための形態】
【０００９】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１０】
≪広告管理システム１の構成≫
まず、図１を参照して、本実施形態の構成を説明する。図１は、本実施形態の広告管理システム１の概略構成図である。
【００１１】
本実施形態の広告管理システム１は、ユーザにより入力されたテキスト情報を形態素解析して抽出された形態素に基づきＰＯＰデータ構成要素を選定し、選定されたＰＯＰデータ構成要素を組み合わせて広告候補としてのＰＯＰ候補データを作成することが可能なシステムである。また、広告管理システム１は、ユーザにより入力されたＰＯＰの用途（出力先）に適したＰＯＰ候補データを作成することが可能なシステムである。
【００１２】
図１に示すように、広告管理システム１は、サーバ（広告管理装置）４と、ユーザ端末であるスマートホンやタブレット端末等の携帯端末２ａ、２ｂと、ＰＣ（personal computer）３ａ、３ｂと、印刷装置１１と、を備えて構成され、各装置が通信ネットワークＮ
を介して通信接続される。以下、携帯端末２ａ、２ｂやＰＣ３ａ、３ｂを総称してユーザ端末と記すことがある。なお、携帯端末２ａ、２ｂ及びＰＣ３ａ、３ｂがサーバ４と通信接続するものとしたが、これに限られるものではなく、サーバ４によるサービスの提供を受けるユーザの数に応じて複数のユーザ端末が存在し、それらがサーバ４と通信接続する。また、サーバ４は、ユーザ端末としてＰＯＳ（Point Of Sales）端末等と通信接続するものとしても良い。
【００１３】
サーバ４は、販売促進を目的とする広告としてＰＯＰデータを作成し、作成されたＰＯＰデータを管理する。また、サーバ４は、ユーザ端末からの要求に応じて、ＰＯＰデータを作成するための入力情報を入力する入力画面５，６、作成されたＰＯＰ候補データのプレビュー画面（図示略）等をユーザ端末に配信する。
【００１４】
携帯端末２ａ、２ｂ等のユーザ端末は、サーバ４から送信される各種表示情報を受信して表示し、またユーザの操作入力を受け付けてその操作情報をサーバ４へ送信する。
【００１５】
印刷装置１１は、電子写真式、インクジェット式等の家庭用又は業務用プリンタであって、入力される印刷指示に応じて、ＰＯＰデータ等を用紙上にプリントして、広告としてのＰＯＰ等を作成する。
【００１６】
通信ネットワークＮは、インターネットにより構成されているものとするが、ＬＡＮ（Local Area Network）、ＷＡＮ（Wide Area Network）等を含めても良く、電話回線、専用線、移動体通信網、通信衛星網、ＣＡＴＶ（Cable Television）回線等を含めても良い。
【００１７】
また、広告管理システム１は、各種ユーザ端末で利用される他のアプリケーションプログラムを実行可能なように構成されていても良い。当該アプリケーションプログラムとしては、例えば、店舗等の日別・月別の売上集計や分析を行う売上管理業務や、固定資産税や個人事業税等の納税処理を行う会計管理業務や、従業員の給与計算の処理を行う給与管理業務や、店舗等の人員シフトの管理と従業員の勤怠管理の処理を行う就業管理業務や、関連事業者や従業員への通達文書の作成・管理を行う文書管理業務等を行うものが挙げられ、これらが実行可能とされていることで、広告管理システム１が経営支援システムとして機能するものとしても良い。
【００１８】
≪サーバ４の構成≫
次いで、サーバ４の内部構成を説明する。図２に、サーバ４の内部構成を示す。また、図３〜図６にそれぞれ、レイアウトデータテーブル４５１、アイキャッチデータテーブル４５２、選定条件データテーブル４５３、学習値データテーブル４５４の一例を示す。
【００１９】
図２に示すように、サーバ４は、ＣＰＵ（Central Processing Unit）４１、操作入力
部４２、ＲＡＭ（Random Access Memory）４３、サーバ表示部４４、記憶部４５、通信部４６、計時部４７等を備えて構成され、各部がバス４８を介して接続されている。
【００２０】
ＣＰＵ４１は、記憶部４５に記憶されているシステムプログラムを読み出し、ＲＡＭ４３のワークエリアに展開し、当該システムプログラムに従って各部を制御する。また、ＣＰＵ４１は、記憶部４５に記憶されている処理プログラムを読み出してワークエリアに展開し、後述するＰＯＰデータ作成処理、第１取得処理、第２取得処理等のサーバ４側の処理を始めとする各種処理を実行し、第１の選定手段、抽出手段、第２の選定手段及び作成手段として機能する。
【００２１】
操作入力部４２は、カーソルキー、文字、数字入力キー、その他の各種機能キー等を備えたキーボードを含む構成とし、ユーザによる各キーの押下入力を受け付けてその操作情報をＣＰＵ４１に出力する。また、操作入力部４２は、マウス等のポインティングデバイスを含み、位置入力を受け付けて操作情報としてＣＰＵ４１に出力することとしても良い。
【００２２】
ＲＡＭ４３は、揮発性のメモリーである。また、ＲＡＭ４３は、実行される各種プログラムやこれら各種プログラムに係るデータ等を格納するワークエリアを有する。
【００２３】
サーバ表示部４４は、ＬＣＤ（Liquid Crystal Display）、ＣＲＴ（Cathode Ray Tube）等で構成され、ＣＰＵ４１からの表示制御信号に従って画面表示を行う。
【００２４】
記憶部４５は、磁気記録媒体を有するＨＤＤ（Hard Disk Drive）等により構成される
。記憶部４５には、ＣＰＵ４１で実行されるシステムプログラムや処理プログラム、Ｗｅｂサーバプログラム等のアプリケーションプログラム、これらのプログラムの実行に必要なデータ等が記憶されている。処理プログラムには、後述するＰＯＰデータ作成処理、第１取得処理、第２取得処理等のサーバ４側の処理を始めとする各種処理を実行するためのプログラムが含まれる。
これらのプログラムは、コンピュータ読み取り可能なプログラムコードの形態で記憶部４５に格納されている。ＣＰＵ４１は、当該プログラムコードに従った動作を逐次実行する。
【００２５】
また、記憶部４５は、ＰＯＰデータ作成処理等に用いられる各種データをあらかじめ記憶する。すなわち、記憶部４５は、例えば、ＰＯＰデータのレイアウト、ＰＯＰデータに含まれるアイキャッチ、書体、フォント色、背景、枠、イラスト等のＰＯＰデータ構成要素を記憶する。また、記憶部４５は、ユーザが経営又は所属する店舗又は会社の業種・業態等を含むユーザ情報等を記憶する。
本実施形態においてアイキャッチとは、広告全体の中で最初に目を引く部分であって、主に販売促進を目的とする文字列を示す画像である。
【００２６】
また、記憶部４５には、後述する第１取得処理及び第２取得処理で使用されるレイアウトデータテーブル４５１（図３参照）、アイキャッチデータテーブル４５２（図４参照）、選定条件データテーブル４５３（図５参照）、学習値データテーブル４５４（図６参照）が記憶されている。また、記憶部４５には、レイアウト及びアイキャッチ以外のＰＯＰデータ構成要素、すなわち、書体、フォント色、背景、枠、イラストについても、同様のデータテーブル（図示略）が記憶されている。
【００２７】
レイアウトデータテーブル４５１は、レイアウト種Ｌ１〜Ｌ４０と、各レイアウト種に応じて項目ごとに設定される指標値とが対応付けて記憶されたテーブルである。当該項目としては、例えば、「縦／横」、「写真サイズ」、「写真数」、「アイキャッチサイズ」、「イラスト数」等が挙げられるが、これらに限られるものではない。なお、「縦／横」の項目においては、そのレイアウト種の向きが縦である場合には「０」、そのレイアウト種の向きが横である場合には「１」の指標値が設定されている。また、「写真サイズ」及び「アイキャッチサイズ」の項目においては、指標値が「１」に近いほど、作成されるＰＯＰデータ全体に対して画像データ及びアイキャッチのサイズが大きいことを示している。
また、レイアウトデータテーブル４５１は、図示されている項目以外に、少なくとも選定条件データテーブル４５３に記憶されている選定条件項目が全て含まれており、当該項目には指標値が対応付けられて記憶されている。
【００２８】
アイキャッチデータテーブル４５２は、アイキャッチ種ｉ１〜ｉ４０と、各アイキャッチ種に応じて項目ごとに設定される指標値とが対応付けて記憶されたテーブルである。当該項目としては、例えば、「縦／横」、「和食向け」、「洋食向け」、「カフェ向け」、「中華向け」等が挙げられるが、これらに限られるものではない。なお、「縦／横」の項目においては、そのアイキャッチ種の向きが縦である場合には「０」、そのアイキャッチ種の向きが横である場合には「１」の指標値が設定されている。また、「和食向け」、「洋食向け」、「カフェ向け」及び「中華向け」の項目においては、それらの項目に対して適している場合には「１」、それらの項目に対して適していない場合には「０」の指標値が設定されている。
【００２９】
選定条件データテーブル４５３は、ＰＯＰの用途（出力先）と、各ＰＯＰの用途に応じて項目ごとに設定される選定条件とが対応付けられて記憶されたテーブルである。当該項目としては、例えば、「ＨＰ（ホームページ）レイアウトフィット」、「フォントサイズ」等が挙げられるが、これらに限られるものではない。なお、「ＨＰレイアウトフィット」の項目においては、店舗のホームページ（ウェブサイト）のレイアウトに適合させる必要のない場合には「不問」、適合させる場合には「フィット」の選定条件が設定されている。具体的には、例えば、ＰＯＰの用途が「ＨＰ（スマホ）」の場合、スマホ向けのホームページのレイアウトで設定されているＰＯＰ出力領域に合わせたアスペクト比にする必要があるため、選定条件として「フィット」が設定されている。また、「フォントサイズ」の項目においては、ＰＯＰで使用する商品名や価格、キャッチコピー等のフォントのサイズに関する条件が設定されている。具体的には、例えば、ＰＯＰの用途が「印刷（店外）」の場合、目に付きやすいものにする必要があるため、選定条件として「０．６以上」とフォントを大き目にする設定がなされている。フォントサイズは、指標値が「１」に近いほど、作成されるＰＯＰデータ全体に対してフォントのサイズが大きいことを示している。
また、選定条件データテーブル４５３は、図示されている項目以外に、少なくともレイアウトデータテーブル４５１に記憶されている項目が全て含まれており、当該項目には選定条件が対応付けられて記憶されている。なお、選定条件データテーブル４５３に図示されている項目以外の項目については、各用途（出力先）に対する選定条件が全て「不問」である項目があってもよい。
また、選定条件データテーブル４５３では、ＰＯＰの用途（出力先）と、各ＰＯＰ用途に応じて設定される出力画像の解像度と、が対応付けられて記憶されている。
【００３０】
学習値データテーブル４５４は、サーバ４によるサービスの提供を受けるユーザと、当該ユーザのＰＯＰの用途（出力先）ごとに算出され更新されるＰＯＰデータ構成要素に対するユーザの嗜好を示す学習値とが対応付けられて記憶されたテーブルである。また、当該学習値は、ＰＯＰデータ構成要素ごとにあらかじめ設定される項目ごとに算出、更新される。当該項目としては、例えば、レイアウトの項目として「縦／横」、「写真サイズ」、「アイキャッチサイズ」等、アイキャッチの項目として「和食向け」、「洋食向け」、「カフェ向け」、「中華向け」等、書体の項目として「書体Ａ」、「書体Ｂ」、「書体Ｃ」等が挙げられるが、これらに限られるものではない。このような学習値データテーブル４５４は、ＰＯＰデータ作成処理が実行される度に更新される。なお、「縦／横」の項目においては、学習値が「１」に近いほど、ユーザが横向きのレイアウトを好むことを示している。また、「写真サイズ」及び「アイキャッチサイズ」の項目においては、学習値が「１」に近いほど、ユーザが、作成されるＰＯＰデータ全体に対してサイズの大きい画像データ及びアイキャッチを好むことを示している。
【００３１】
また、記憶部４５には、あらかじめ単語ごとに設定された特性値が記憶されている。また、当該特性値は、項目ごとに設定されており、後述する第２取得処理において形態素特性値合計を取得する際に用いられる。項目としては、上記した学習値データテーブル４５４に含まれる項目の一部と重複し、例えば、「縦／横」、「和食向け」、「洋食向け」、「カフェ向け」、「中華向け」等が挙げられる。なお、「縦／横」の項目においては、その単語が縦配置に適している場合には「０」、その単語が横配置に適している場合には「１」の特性値が設定されている。また、「和食向け」、「洋食向け」、「カフェ向け」及び「中華向け」の項目においては、その単語がそれらの項目に対して適している場合には「１」、それらの項目に対して適していない場合には「０」の特性値が設定されている。また、各単語のうち、名詞、副詞、動詞及び形容詞以外の品詞、並びに記号については、特性値がいずれも「０」に設定されている。例えば、名詞「夏野菜」の単語に対しては、「縦／横」の特性値が「１」、「和食向け」の特性値が「１」、「洋食向け」の特性値が「１」、「カフェ向け」の特性値が「０」、「中華向け」の特性値が「０」に設定されている。また、例えば、助詞「の」の単語に対しては、いずれの項目も特性値が「０」に設定されている。
【００３２】
また、記憶部４５には、ＰＯＰデータ作成処理等においてユーザにより入力される各種データが記憶される。すなわち、記憶部４５には、例えば、入力画面５で入力される画像データ、過去に作成されたＰＯＰデータの作成履歴等が記憶される。
【００３３】
また、記憶部４５には、各ユーザの店舗のスマホ向けのホームページ及びＰＣ向けのホームページのそれぞれのレイアウトデータが記憶される。具体的には、レイアウトデータとして、例えば、ホームページ上においてＰＯＰデータが出力される領域のアスペクト比情報等が記憶部４５に記憶される。なお、ユーザがホームページのレイアウトを変更した場合、記憶部４５に記憶されている当該ホームページのレイアウトデータが変更後のレイアウトデータに更新される。
【００３４】
通信部４６は、モデム、ＴＡ（Terminal Adapter）、ルータ、ネットワークカード等により構成される。通信部４６は、通信ネットワークＮ上のユーザ端末等の外部機器と通信接続してデータ送受信を行う。
【００３５】
計時部４７は、計時回路を内蔵し、現在の時刻及び日付を計時して現在の時刻情報として出力する。
【００３６】
≪携帯端末２ａの構成≫
次いで、携帯端末２ａを例にとってユーザ端末の内部構成を説明する。図７に、携帯端末２ａの内部構成を示す。
【００３７】
図７に示すように、携帯端末２ａは、ＣＰＵ２１、操作入力部２２、ＲＡＭ２３、端末表示部２４、記憶部２５、通信部２６、計時部２７等を備えて構成され、各部がバス２８を介して接続されている。
なお、携帯端末２ｂ及びＰＣ３ａ、３ｂも略同様に構成されている。
【００３８】
ＣＰＵ２１、操作入力部２２、ＲＡＭ２３、端末表示部２４、記憶部２５、通信部２６及び計時部２７は、それぞれ、サーバ４のＣＰＵ４１、操作入力部４２、ＲＡＭ４３、サーバ表示部４４、記憶部４５、通信部４６及び計時部４７の構成と略同様であり、異なる部分を主として説明する。
【００３９】
ＣＰＵ２１は、記憶部２５に記憶されているシステムプログラムを読み出し、ＲＡＭ２３のワークエリアに展開し、当該システムプログラムに従って各部を制御する。また、ＣＰＵ２１は、記憶部２５に記憶されている処理プログラムを読み出してワークエリアに展開し、後述するＰＯＰデータ作成処理、第１取得処理、第２取得処理等の携帯端末２ａ側の処理を始めとする各種処理を実行する。
【００４０】
操作入力部２２は、押しボタンスイッチや、端末表示部２４上に設けられるタッチセンサ等を有して構成され、ユーザの入力操作を受け付けて、操作内容を電気信号に変換してＣＰＵ２１に出力する。
【００４１】
端末表示部２４は、ＬＣＤ、ＣＲＴ等で構成され、ＣＰＵ２１からの表示制御信号に従って画面表示を行う。また、端末表示部２４の表示画面上には上記タッチセンサが設けられており、タッチパネル方式の操作表示手段として機能する。
【００４２】
記憶部２５は、磁気記録媒体を有するＨＤＤ等により構成される。記憶部２５には、ＣＰＵ２１で実行されるシステムプログラムや処理プログラム、Ｗｅｂブラウザ等のアプリケーションプログラム、これらのプログラムの実行に必要なデータ等が記憶されている。当該処理プログラムには、後述するＰＯＰデータ作成処理、第１取得処理、第２取得処理等の携帯端末２ａ側の処理を始めとする各種処理を実行するためのプログラムが含まれる。
【００４３】
通信部２６は、通信ネットワークＮ上のサーバ４等の外部機器と通信を行う。
【００４４】
≪サーバ４の動作≫
［ＰＯＰデータ作成処理］
本実施形態のサーバ４により行われるＰＯＰデータ作成処理について、図８〜図１６等を参照して説明する。図８は、ＰＯＰデータ作成処理の一例を示すフローチャートである。図９は、端末表示部２４に表示される情報入力前の１頁目の入力画面５を示す図である。図１０は、端末表示部２４に表示される情報入力後の１頁目の入力画面５を示す図である。図１１は、端末表示部２４に表示される情報入力前の２頁目の入力画面６を示す図である。図１２は、作成される２５種のＰＯＰ候補データの例を示す図である。図１３〜図１６は、２５種のＰＯＰ候補データの中から選定された一のＰＯＰ候補データの例を用途ごとに示す図である。
【００４５】
サーバ４は、ユーザ端末を介してユーザによりテキスト情報や画像データ、ＰＯＰの用途（出力先）（以下、入力情報ともいう。）が入力されると、対象となる商品又は役務を紹介するＰＯＰデータを用途に適した形で出力するＰＯＰデータ作成処理を行うよう構成されている。
【００４６】
具体的には、図８に示すように、サーバ４のＣＰＵ４１は、ユーザ端末よりＰＯＰデータ作成用のプログラムの実行が要求されたときに、図９に示す１頁目の入力画面５を端末表示部２４に表示させる（ステップＳ１０１）。１頁目の入力画面５は、ＰＯＰデータの作成に当たってユーザにより所定の入力情報が入力されるための画面である。当該入力情報としては、作成するＰＯＰデータにて紹介する対象の商品の名称（商品名）、対象の商品の価格、対象の商品のキャッチコピー及び対象の商品の画像データであり、これらのうち対象の商品の名称及びキャッチコピーがテキスト情報である。したがって、１頁目の入力画面５には、それらの各情報を入力するための入力欄として、商品名入力欄５１、価格入力欄５２、キャッチコピー入力欄５３及び画像データ入力欄５４が設けられている。例えば、図１０に示すように、商品名入力欄５１には「夏野菜と生ハムのサラダピザ」、価格入力欄５２には「１２００」、キャッチコピー入力欄５３には「夏にうまい野菜」、画像データ入力欄５４にはピザの画像データが入力される。
【００４７】
また、１頁目の入力画面５には、各入力欄５１〜５４の他に、紹介する商品をＰＯＰデータに追加する際にユーザにより選択される商品追加ボタン５５、２頁目の入力画面６に移行させる際にユーザにより選択される次へボタン５６、入力画面５の表示を終了する際にユーザにより選択されるキャンセルボタン５７、キャッチコピー入力の参考となる情報（例えば、キャッチコピーのサンプルやトレンドワード等）を表示する際にユーザにより選択される参考ボタン５８等が設けられている。
【００４８】
１頁目の入力画面５において、ユーザにより商品追加ボタン５５が選択されると、１頁目の入力画面５に商品名入力欄５１、価格入力欄５２、キャッチコピー入力欄５３及び画像データ入力欄５４が各一つずつ追加される。ユーザにより、追加された各入力欄５１〜５４に情報が入力されることで、ＣＰＵ４１は、二種の商品の紹介が含まれたＰＯＰデータを作成することができる。よって、商品追加ボタン５５が複数回選択され、各入力欄５１〜５４に情報が入力されることで、ＣＰＵ４１は、複数種の商品の紹介が含まれたＰＯＰデータを作成することができる。
【００４９】
なお、１頁目の入力画面５の各入力欄５１〜５４には、一つの商品について少なくとも対象商品の商品名、キャッチコピー及び画像データのうち少なくとも一つが入力されていればＰＯＰデータを作成することができるが、入力される情報が多いほど作成されるＰＯＰデータの精度が向上するため、各入力欄５１〜５４の全てに情報が入力されることが好ましい。
【００５０】
また、１頁目の入力画面５において、ユーザにより次へボタン５６が選択されると、ＣＰＵ４１は、図１１に示す２頁目の入力画面６を端末表示部２４に表示させる。２頁目の入力画面６は、ＰＯＰデータの作成に当たってユーザによりＰＯＰの用途（出力先）が入力されるための画面である。したがって、２頁目の入力画面６には、ＰＯＰの用途を入力するための入力欄として、５つのチェックボックス６１が設けられている。５つのチェックボックス６１はそれぞれ「店外用のポスター」、「店内用のポスター」、「スマホ向けのホームページ」、「ＰＣ向けのホームページ」、「ＳＮＳ投稿用の画像」の各項目と対応付けられており、例えば、「ＰＣ向けのホームページ」の項目を選択する場合には、当該項目に対応するチェックボックス６１にチェックマークが入力される。
【００５１】
また、２頁目の入力画面６には、チェックボックス６１の他に、情報入力後ＰＯＰデータを作成する際にユーザにより選択される作成ボタン６２、１頁目の入力画面５に移行させる際にユーザにより選択される戻るボタン６３等が設けられている。
【００５２】
次に、図８に示すように、ＣＰＵ４１は、各入力欄５１〜５４、及び、チェックボックス６１への入力が完了したか否かを判定する（ステップＳ１０２）。具体的には、例えば、ＣＰＵ４１は、ユーザにより少なくとも商品名入力欄５１に商品名が入力されるとともに何れかのチェックボックス６１にチェックマークが入力されるか、キャッチコピー入力欄５３にキャッチコピーが入力されるとともに何れかのチェックボックス６１にチェックマークが入力されるか、又は画像データ入力欄５４に画像データが入力されるとともに何れかのチェックボックス６１にチェックマークが入力された上で、作成ボタン６２が選択された場合に、入力が完了したと判定する。
【００５３】
入力が完了していないと判定されると（ステップＳ１０２；ＮＯ）、ＣＰＵ４１は、再びステップＳ１０２の処理を行う。入力が完了したと判定されると（ステップＳ１０２；ＹＥＳ）、ＣＰＵ４１は、画像データ入力欄５４に入力された情報、及び、チェックボックス６１にチェックマークが入力された項目に対応するＰＯＰの用途に基づき、ＰＯＰデータの作成に用いるレイアウトを５種選定し、取得する第１取得処理を行う（ステップＳ１０３）。なお、第１取得処理の詳細については後述する。
【００５４】
次に、ＣＰＵ４１は、商品名入力欄５１及びキャッチコピー入力欄５３に入力された情報に基づき、ＰＯＰデータの作成に用いる、レイアウト以外のＰＯＰデータ構成要素（アイキャッチ、書体、フォント色、背景、枠、イラスト）を５種ずつ選定し、取得する第２取得処理を行う（ステップＳ１０４）。なお、第２取得処理の詳細については後述する。
【００５５】
次に、ＣＰＵ４１は、取得されたＰＯＰデータ構成要素に基づき２５種のＰＯＰ候補データを作成する（ステップＳ１０５）。すなわち、まず、ＣＰＵ４１は、ステップＳ１０４で取得された５種ずつのアイキャッチ、書体、フォント色、背景、枠、イラストを組み合わせて５種の表現態様を作成する。そして、ＣＰＵ４１は、ステップＳ１０３で取得された５種のレイアウトと、作成した５種の表現態様と、入力情報とを組み合わせて２５種のＰＯＰ候補データを作成する。なお、作成される２５種のＰＯＰ候補データには、入力情報が共通して含まれる。
【００５６】
次に、ＣＰＵ４１は、作成された２５種のＰＯＰ候補データを端末表示部２４に表示させる（ステップＳ１０６）。具体的には、ＣＰＵ４１は、図示は省略するが、作成された２５種のＰＯＰ候補データのうちの一つが表示されたプレビュー画面を端末表示部２４に表示させる。
【００５７】
また、プレビュー画面において、ＣＰＵ４１は、ユーザによりスワイプ操作が行われることで、ステップＳ１０５で作成された２５種のＰＯＰ候補データのうち他のものを順次表示させる。
例えば、２５種のＰＯＰ候補データとして、図１２に示すＰＯＰ候補データａ１〜ａ５、ｂ１〜ｂ５、ｃ１〜ｃ５、ｄ１〜ｄ５、ｅ１〜ｅ５が生成された場合について説明する。図１２において横方向に配列されるＰＯＰ候補データ同士はレイアウトが共通しており、縦方向に配列されるＰＯＰ候補データ同士は表現態様が共通している。ユーザにより横方向又は縦方向のスワイプ操作が入力されることにより、端末表示部２４に表示されているＰＯＰ候補データに対して、図１２に示す配列において横方向又は縦方向に隣接して配置されるＰＯＰ候補データが順次表示される。また、図１２に示す各ＰＯＰ候補データの配列において、横方向及び縦方向のいずれについてもＰＯＰ候補データがループ表示されるように構成されている。例えば、ＰＯＰ候補データａ１が端末表示部２４に表示されている状態において、左から右へのスワイプ操作が入力されるとＰＯＰ候補データａ５が端末表示部２４に表示され、上から下へのスワイプ操作が入力されるとＰＯＰ候補データｅ１が端末表示部２４に表示される。
【００５８】
次に、図８に示すように、ＣＰＵ４１は、ユーザにより所望のＰＯＰ候補データを選択する選択操作が入力されたか否かを判定する（ステップＳ１０７）。具体的には、例えば、ＣＰＵ４１は、２５種のＰＯＰ候補データのうちユーザ所望のＰＯＰ候補データが端末表示部２４に表示された状態で、ユーザにより選択ボタン（図示略）が選択された場合に、当該ＰＯＰ候補データを選択する選択操作が入力されたと判定する。
【００５９】
選択操作が入力されないと判定されると（ステップＳ１０７；ＮＯ）、ＣＰＵ４１は、ユーザによりプレビュー画面の表示を終了するキャンセル操作が入力されたか否かを判定する（ステップＳ１０８）。具体的には、例えば、ＣＰＵ４１は、ユーザによりキャンセルボタン（図示略）が選択された場合に、キャンセル操作が入力されたと判定する。
【００６０】
キャンセル操作が入力されたと判定されると（ステップＳ１０８；ＹＥＳ）、ＣＰＵ４１は、プレビュー画面の表示を終了し、再びステップＳ１０１の処理を行う。キャンセル操作が入力されないと判定されると（ステップＳ１０８；ＮＯ）、ＣＰＵ４１は、再び上記ステップＳ１０７の処理を行う。
【００６１】
また、ステップＳ１０７の処理において、選択操作が入力されたと判定されると（ステップＳ１０７；ＹＥＳ）、ＣＰＵ４１は、当該選択操作に基づき、ステップＳ１０５で作成された２５種のＰＯＰ候補データの中から一つのＰＯＰ候補データを選定する（ステップＳ１０９）。
【００６２】
図１３は、ＰＯＰの用途を「店外用のポスター」又は「ＳＮＳ投稿用の画像」として作成された２５種のＰＯＰ候補データの中から選定された一のＰＯＰ候補データの一例を示す図である。
図１３に示すように、ＰＯＰの用途を「店外用のポスター」又は「ＳＮＳ投稿用の画像」として作成されたＰＯＰ候補データは、選定条件データテーブル４５３において「フォントサイズ」の項目の条件が「０．６以上」と大き目の設定がなされているため、商品名「夏野菜と生ハムのサラダピザ」や価格「￥１，２００」、キャッチコピー「夏にうまい野菜」の文字が大きく表示されるようになっている。当該ＰＯＰ候補データには、アイキャッチ「新鮮な夏野菜をふんだんに使用した夏季限定メニューです。」が表示されている。また、ＰＯＰの用途を「店外用のポスター」として作成されたＰＯＰ候補データは、選定条件データテーブル４５３において「出力画像の解像度」の項目が「３００ｄｐｉ」に設定されているため、３００ｄｐｉの解像度で表示されるようになっている。一方、ＰＯＰの用途を「ＳＮＳ投稿用の画像」として作成されたＰＯＰ候補データは、選定条件データテーブル４５３において「出力画像の解像度」の項目が「１５０ｄｐｉ」に設定されているため、１５０ｄｐｉの解像度で表示されるようになっている。
【００６３】
図１４は、ＰＯＰの用途を「店内用のポスター」として作成された２５種のＰＯＰ候補データの中から選定された一のＰＯＰ候補データの一例を示す図である。
図１４に示すように、ＰＯＰの用途を「店内用のポスター」として作成されたＰＯＰ候補データは、上記のように、ＰＯＰの用途を「店外用のポスター」として作成されたＰＯＰ候補データとは異なり、選定条件データテーブル４５３において「フォントサイズ」の項目の条件が「不問」に設定されているため、商品名「夏野菜と生ハムのサラダピザ」や価格「￥１，２００」の文字を大きくしなくても良いレイアウトとなっている。また、ＰＯＰの用途を「店内用のポスター」として作成されたＰＯＰ候補データは、選定条件データテーブル４５３において「出力画像の解像度」の項目が「３００ｄｐｉ」に設定されているため、３００ｄｐｉの解像度で表示されるようになっている。
【００６４】
図１５は、ＰＯＰの用途を「スマホ向けのホームページ」として作成された２５種のＰＯＰ候補データの中から選定された一のＰＯＰ候補データの一例を示す図である。なお、図１５では、当該ＰＯＰ候補データが実際にスマホ向けのホームページ上に出力された状態で示されている。
図１５に示すように、ＰＯＰの用途を「スマホ向けのホームページ」として作成されたＰＯＰ候補データは、選定条件データテーブル４５３において「ＨＰレイアウトフィット」の項目の条件が「フィット」に設定されているため、スマホ向けのホームページのＰＯＰ出力領域に適したＰＯＰ候補データとなっている。また、ＰＯＰの用途を「スマホ向けのホームページ」として作成されたＰＯＰ候補データは、選定条件データテーブル４５３において「出力画像の解像度」の項目が「１５０ｄｐｉ」に設定されているため、１５０ｄｐｉの解像度で表示されるようになっている。
【００６５】
図１６は、ＰＯＰの用途を「ＰＣ向けのホームページ」として作成された２５種のＰＯＰ候補データの中から選定された一のＰＯＰ候補データの一例を示す図である。なお、図１６では、当該ＰＯＰ候補データが実際にＰＣ向けのホームページ上に出力された状態で示されている。
図１６に示すように、ＰＯＰの用途を「ＰＣ向けのホームページ」として作成されたＰＯＰ候補データは、選定条件データテーブル４５３において「ＨＰレイアウトフィット」の項目の条件が「フィット」に設定されているため、ＰＣ向けのホームページのＰＯＰ出力領域に適したＰＯＰ候補データとなっている。また、ＰＯＰの用途を「ＰＣ向けのホームページ」として作成されたＰＯＰ候補データは、選定条件データテーブル４５３において「出力画像の解像度」の項目が「１５０ｄｐｉ」に設定されているため、１５０ｄｐｉの解像度で表示されるようになっている。
【００６６】
次に、ＣＰＵ４１は、ステップＳ１０９の処理における選定結果に基づき学習値を更新する（ステップＳ１１０）。具体的には、ＣＰＵ４１は、前回のＰＯＰデータ作成時に算出された項目ごとの学習値（図６参照）と、今回を除いて過去にＰＯＰデータを作成した回数（ＰＯＰ作成回数）と、ステップＳ１０９における選定結果と、に基づき下記式（１）に従って学習値を算出し、学習値データテーブル４５４に記憶される学習値を、算出された学習値に更新する。下記式（１）による学習値の算出は、図６に示す学習値データテーブル４５４に含まれる各項目についてそれぞれ実行される。
式（１）：学習値＝（前回までのユーザの学習値×ＰＯＰ作成回数＋選定されたＰＯＰ候補データに含まれるＰＯＰデータ構成要素の指標値）／（ＰＯＰ作成回数＋１）
【００６７】
例えば、用途を「店外用のポスター」とするＰＯＰデータのＰＯＰ作成回数が１９回、ステップＳ１０９の処理にて選定されたＰＯＰ候補データに含まれるレイアウトがレイアウト種Ｌ１、ユーザのユーザコードが「０００００１」である場合、レイアウトにおける「縦／横」及び「写真サイズ」の学習値は次のとおりである。
「縦／横」の学習値＝（０．３×１９＋１）／（１９＋１）＝０．３３５
「写真サイズ」の学習値＝（０．６×１９＋１．０）／（１９＋１）＝０．６２
以上のようにして、ＰＯＰデータ作成処理を行う。
【００６８】
上記ＰＯＰデータ作成処理終了後、ＣＰＵ４１は、ステップＳ１０９の処理にて選定されたＰＯＰ候補データを完成版として記憶部４５に記憶させても良いし、ユーザにより所定の操作がなされた場合には、当該ＰＯＰ候補データの編集画面（図示略）を端末表示部２４に表示させるものとしても良い。これにより、当該ＰＯＰ候補データに含まれる各ＰＯＰデータ構成要素を更にユーザの所望に応じて変更し、変更後の、よりユーザの好みに近いＰＯＰ候補データを完成版として記憶部４５に記憶させることができる。また、ＣＰＵ４１は、完成版のＰＯＰデータについてユーザ端末から印刷の実行が要求された場合には、通信部４６を介して当該ＰＯＰデータを印刷装置１１に出力し、印刷装置１１に印刷させるものとしても良い。
【００６９】
なお、上記ステップＳ１０５の処理では、５種のレイアウト及び５種の表現態様から２５種のＰＯＰ候補データを作成するものとしたが、これに限られるものではない。例えば、ＰＯＰ候補データの作成に用いるレイアウトと表現態様の数はいずれであっても良いし、その組み合わせ方もいずれであっても良い。また、例えば、作成されるＰＯＰ候補データの数も２４種以下であっても良いし、２６種以上であっても良い。
【００７０】
［第１取得処理］
次に、本実施形態のサーバ４により行われる第１取得処理について、図１７等を参照して説明する。図１７は、第１取得処理の一例を示すフローチャートである。
【００７１】
図１７に示すように、まず、ＣＰＵ４１は、１頁目の入力画面５の画像データ入力欄５４にユーザにより入力された画像データの数ｎと、２頁目の入力画面６のチェックボックス６１にユーザにより入力されたチェックマークに対応するＰＯＰの用途（出力先）を取得する（ステップＳ２０１）。例えば、１頁目の入力画面５において画像データ入力欄５４に画像データが入力されていない場合には、画像データ数ｎ＝０となり、画像データ入力欄５４に画像データが入力された場合には、画像データ数ｎ＝１となる。また、例えば、商品追加ボタン５５が１回選択された上で二つの画像データ入力欄５４に画像データがそれぞれ入力された場合には、画像データ数ｎ＝２となる。
【００７２】
次に、ＣＰＵ４１は、図３に示すレイアウトデータテーブル４５１と図５に示す選定条件データテーブル４５３を参照して、レイアウト種Ｌ１〜Ｌ４０のうち、「写真数」がステップＳ２０１で取得された画像データ数ｎ以上であり、且つ、ステップＳ２０１で取得されたＰＯＰの用途に対応する選定条件を満たすレイアウトを抽出する（ステップＳ２０２）。例えば、ステップＳ２０１で取得された画像データ数ｎ＝１であり、ステップＳ２０１で取得されたＰＯＰの用途（例えば、ＰＣ向けのホームページ）に対応する選定条件（ＨＰレイアウトフィット；フィット、フォントサイズ；０．６以上）を満たすレイアウト種Ｌ３等を抽出する。
【００７３】
次に、図１７に示すように、ＣＰＵ４１は、抽出されたレイアウトの数が５以上であるか否かを判定する（ステップＳ２０３）。抽出されたレイアウトの数が５以上でないと判定されると（ステップＳ２０３；ＮＯ）、ＣＰＵ４１は、「写真数」が画像データ数ｎ未満のレイアウトも抽出し（ステップＳ２０４）、次のステップＳ２０５の処理を行う。
【００７４】
一方、抽出されたレイアウトの数が５以上であると判定されると（ステップＳ２０３；ＹＥＳ）、ＣＰＵ４１は、抽出されたレイアウトのそれぞれに対して評価値を算出する（ステップＳ２０５）。具体的には、例えば、ＣＰＵ４１は、抽出されたレイアウトに応じて項目ごとに設定される指標値（図３参照）、及びユーザごとに対応付けられた学習値（図６参照）に基づき、下記式（２）に従って評価値を算出する。
式（２）：評価値＝抽出されたレイアウトの「縦／横」の指標値×ユーザの該当する用途のレイアウトにおける「縦／横」の学習値＋抽出されたレイアウトの「写真サイズ」の指標値×ユーザの該当する用途の「写真サイズ」の学習値＋抽出されたレイアウトの「アイキャッチサイズ」の指標値×ユーザの該当する用途の「アイキャッチサイズ」の学習値
【００７５】
例えば、ステップＳ２０２又はＳ２０４の処理で抽出されたレイアウトがレイアウト種Ｌ３であり、ユーザのユーザコードが「０００００１」であり、且つ、該当する用途が「ＨＰ（ＰＣ）」の場合、レイアウト種Ｌ３の評価値は次のとおりである。
レイアウト種Ｌ３の評価値＝０×０．１＋０．９×０．４＋０．３×０．６＝０．５４
【００７６】
次に、図１７に示すように、ＣＰＵ４１は、評価値に基づきレイアウトを記憶部４５から取得する（ステップＳ２０６）。具体的には、例えば、ＣＰＵ４１は、ステップＳ２０２又はＳ２０４の処理で抽出されたレイアウト種を、ステップＳ２０５の処理でそれぞれ算出された評価値が高い順に順位付けする。そして、ＣＰＵ４１は、当該順位が最高位のレイアウト種２つと、順位が中間位のレイアウト種２つと、順位が最下位のレイアウト種１つと、を記憶部４５から取得する。例えば、４０種のレイアウトが全て抽出された場合には、評価値の順位が１位、２位、２０位、２１位、４０位のレイアウト種を取得する。
以上のようにして、第１取得処理を行う。
【００７７】
なお、上記ステップＳ２０５の処理では、「縦／横」、「写真サイズ」及び「アイキャッチサイズ」の項目のみに基づき評価値を算出するものとしたが、これに限られるものではない。例えば、レイアウトごとに対応付けられた指標値の項目と、ユーザごとに対応付けられた学習値の項目との間で共通するものであれば、いずれの組み合わせであっても良い。
【００７８】
また、上記ステップＳ２０６の処理では、最高位のレイアウト種２つと、中間位のレイアウト種２つと、最下位のレイアウト種１つとを取得するものとしたが、これに限られるものではなく、順位の高いレイアウト種が含まれていればいずれの順位のレイアウト種をいずれの数量で取得するものとしても良い。
【００７９】
［第２取得処理］
次に、本実施形態のサーバ４により行われる第２取得処理について、図１８、図１９等を参照して説明する。図１８は、第２取得処理の一例を示すフローチャートである。図１９は、ユーザにより商品名入力欄５１及びキャッチコピー入力欄５３に入力された情報に基づき得られる形態素特性値合計の一例を示す図である。
【００８０】
まず、図１８に示すように、ＣＰＵ４１は、商品名入力欄５１に入力された商品名、及びキャッチコピー入力欄５３に入力されたキャッチコピーを形態素解析し、それらのテキストに含まれる形態素を抽出する（ステップＳ３０１）。例えば、図１０に示すように、商品名入力欄５１に「夏野菜と生ハムのサラダピザ」が入力された場合には、ＣＰＵ４１はこれを形態素解析して、「夏野菜」、「と」、「生ハム」、「の」及び「サラダピザ」の形態素を抽出する。また、図１０に示すように、キャッチコピー入力欄５３に「夏にうまい野菜」が入力された場合には、ＣＰＵ４１はこれを形態素解析して、「夏」、「に」、「うまい」及び「野菜」の形態素を抽出する。
【００８１】
なお、商品名入力欄５１及びキャッチコピー入力欄５３に商品名及びキャッチコピーがいずれも入力されておらず、画像データ入力欄５４に対象商品の画像データが入力されている場合には、ＣＰＵ４１は、入力された画像データに対して画像解析を行い、ＣＰＵ４１は、当該画像データが示す商品の名称（単語）を特定するものとしても良い。例えば、図１０に示すように、画像データ入力欄５４に「ピザ」の画像データが入力された場合には、ＣＰＵ４１はこれを画像解析して、その画像データが示す商品の名称である「ピザ」の単語を特定するものとしても良い。
【００８２】
次に、図１８に示すように、ＣＰＵ４１は、形態素解析により抽出された形態素（又は画像解析により特定された単語）から形態素特性値合計を取得する（ステップＳ３０２）。具体的には、例えば、ＣＰＵ４１は、商品名入力欄５１に入力された「夏野菜と生ハムのサラダピザ」の商品名から抽出された「夏野菜」、「と」、「生ハム」、「の」及び「サラダピザ」、並びにキャッチコピー入力欄５３に入力された「夏にうまい野菜」のキャッチコピーから抽出された「夏」、「に」、「うまい」及び「野菜」の各形態素について、図１９に示すように、あらかじめ単語ごとに設定された特性値を記憶部４５から取得する。上記したように、記憶部４５には、単語に対応付けてあらかじめ項目ごとに設定された特性値が記憶されている。
ＣＰＵ４１は、各単語に設定された特性値を項目ごとに合計し、項目ごとの形態素特性値合計を得る。「縦／横」の項目については、特性値の合計値を名詞、副詞、動詞及び形容詞の総数で除して、形態素特性値合計を算出する。例えば、「縦／横」の項目の特性値の合計値は「６」であり、名詞、副詞、動詞及び形容詞の総数は「９」であるため、「縦／横」の項目の形態素特性値合計は６÷９＝０．６６７となる。
【００８３】
次に、図１８に示すように、ＣＰＵ４１は、アイキャッチ、書体、フォント色、背景、枠及びイラストのＰＯＰデータ構成要素のうち、未取得のＰＯＰデータ構成要素一つを選定する（ステップＳ３０３）。以下、各ＰＯＰデータ構成要素のうちアイキャッチが選定された場合について説明する。
【００８４】
次に、ＣＰＵ４１は、ステップＳ３０２で取得された形態素特性値合計（図１９参照）、及びアイキャッチについて項目ごとに設定される指標値（図４参照）に基づき、下記式（３）に従って評価値を算出する（ステップＳ３０４）。ここでは、記憶部４５に記憶される全てのアイキャッチ種についてそれぞれ評価値を算出する。
式（３）：評価値＝アイキャッチの「縦／横」の指標値×「縦／横」の形態素特性値合計＋アイキャッチの「和食向け」の指標値×「和食向け」の形態素特性値合計＋アイキャッチの「洋食向け」の指標値×「洋食向け」の形態素特性値合計＋アイキャッチの「カフェ向け」の指標値×「カフェ向け」の形態素特性値合計＋アイキャッチの「中華向け」の指標値×「中華向け」の形態素特性値合計
【００８５】
例えば、ユーザのユーザコードが「０００００１」である場合、アイキャッチ種ｉ１の評価値は次のとおりである。
アイキャッチ種ｉ１の評価値＝０×０．６６７＋１×４＋１×６＋１×２＋０×３＝１２
【００８６】
また、例えば、ユーザのユーザコードが「０００００１」である場合、アイキャッチ種ｉ２の評価値は次のとおりである。
アイキャッチ種ｉ２の評価値＝０×０．６６７＋１×４＋０×６＋１×２＋１×３＝９
【００８７】
次に、図１８に示すように、ＣＰＵ４１は、評価値に基づきアイキャッチを記憶部４５から取得する（ステップＳ３０５）。具体的には、例えば、ＣＰＵ４１は、アイキャッチ種をステップＳ３０４で算出された評価値が高い順に順位付けする。そして、ＣＰＵ４１は、当該順位が最高位のアイキャッチ種２つと、順位が中間位のアイキャッチ種２つと、順位が最下位のアイキャッチ種１つと、を記憶部４５から取得する。記憶部４５には４０種のアイキャッチ種が記憶されているため、評価値の順位が１位、２位、２０位、２１位、４０位のアイキャッチ種を取得する。
【００８８】
次に、ＣＰＵ４１は、アイキャッチ、書体、フォント色、背景、枠及びイラストのＰＯＰデータ構成要素のうち、未取得のＰＯＰデータ構成要素があるか否かを判定する（ステップＳ３０６）。未取得のＰＯＰデータ構成要素があると判定されると（ステップＳ３０６；ＹＥＳ）、ＣＰＵ４１は、再びステップＳ３０３の処理を行う。一方、未取得のＰＯＰデータ構成要素がないと判定されると（ステップＳ３０６；ＮＯ）、ＣＰＵ４１は、第２取得処理を終了する。
以上のようにして、第２取得処理を行う。
【００８９】
なお、上記ステップＳ３０２の処理では、商品名入力欄５１及びキャッチコピー入力欄５３に入力された情報に基づいて形態素特性値合計を算出するものとしたが、これに限られるものではない。例えば、ＣＰＵ４１は、更に記憶部４５にユーザ情報として記憶されるユーザの業種・業態や、計時部４７により特定される現在の季節・イベント等に基づいて形態素特性値合計を算出するものとしても良い。この場合には、記憶部４５には業種・業態や季節・イベントに対応付けてあらかじめ項目ごとに特性値が記憶され、例えば「中華料理店」の業種・業態については「中華向け」の項目の特性値が「１」に設定され、形態素特性値合計の算出に当たり、当該「１」の特性値が加算されるものとしても良い。また、例えば「クリスマス」の季節・イベントについては「洋食向け」の項目の特性値が「１」に設定され、形態素特性値合計の算出に当たり、当該「１」の特性値が加算されるものとしても良い。
【００９０】
また、上記ステップＳ３０２の処理では、商品名及びキャッチコピーから抽出された各形態素がいずれも、項目ごとに特性値と対応付けられて記憶部４５に記憶されているものとしたが、これに限られるものではない。例えば、商品名及びキャッチコピーから抽出された形態素が、特性値と対応付けられて記憶部４５に記憶されていない場合には、当該形態素についてはいずれの項目も特性値が「０」であるものとしても良いし、当該形態素については品詞を特定しないものとしても良い。
【００９１】
また、上記ステップＳ３０４の処理では、「縦／横」、「和食向け」、「洋食向け」、「カフェ向け」及び「中華向け」の項目のみに基づき評価値を算出するものとしたが、これに限られるものではない。例えば、形態素特性値合計の項目と、アイキャッチごとに対応付けられた指標値の項目との間で共通するものであれば、いずれの組み合わせであっても良い。
【００９２】
また、上記ステップＳ３０５の処理では、最高位のＰＯＰデータ構成要素２つと、中間位のＰＯＰデータ構成要素２つと、最下位のＰＯＰデータ構成要素１つとを取得するものとしたが、これに限られるものではなく、順位の高いＰＯＰデータ構成要素が含まれていればいずれの順位のＰＯＰデータ構成要素をいずれの数量で取得するものとしても良い。
【００９３】
≪本実施形態の技術的効果≫
本実施形態によれば、サーバ４は、ユーザにより入力されたＰＯＰの用途に基づき、ＰＯＰデータを構成するＰＯＰデータ構成要素としてのレイアウトを選定し、ユーザにより入力されたテキスト情報を形態素解析して形態素を抽出し、抽出された形態素に基づき、レイアウト以外のＰＯＰデータ構成要素を選定し、選定されたレイアウトと、レイアウト以外のＰＯＰデータ構成要素と、を組み合わせてＰＯＰ候補データを作成するので、ＰＯＰの用途及びテキスト情報の入力という簡易な入力操作で多様性のあるＰＯＰデータを当該ＰＯＰデータの用途に適した形で作成することができる。
【００９４】
また、本実施形態によれば、店外用のポスター、店内用のポスター、スマートホン向けのホームページ、ＰＣ向けのホームページ、及び、ＳＮＳ投稿用の画像といった様々な用途に適した形でＰＯＰデータを作成することができる。
【００９５】
また、本実施形態によれば、サーバ４は、ＰＯＰの用途に応じた所定の条件を満たすレイアウト候補ごとに評価値を導出し、導出された評価値に基づいてレイアウトを選定するので、用途に適したＰＯＰデータを精度よく作成することができる。
【００９６】
また、本実施形態によれば、サーバ４は、さらにユーザにより入力された画像データの数量に基づき、レイアウト候補を抽出するので、よりデザイン性に優れたＰＯＰデータを作成することができる。
【００９７】
また、本実施形態によれば、テキスト情報は、対象となる商品又は役務の名称、及びキャッチコピーのいずれかであるので、より簡易な入力操作でＰＯＰデータを作成することができる。
【００９８】
また、本実施形態によれば、サーバ４は、抽出された形態素から、レイアウト以外のＰＯＰデータ構成要素ごとに評価値を導出し、導出された評価値に基づいてＰＯＰデータ構成要素を選定するので、入力情報の内容に適したＰＯＰデータ構成要素を選定することができ、入力内容に適したＰＯＰデータを作成することができる。
【００９９】
≪その他≫
なお、上記実施形態における記述は、本発明に係る好適な広告管理装置の一例であり、これに限定されるものではない。
【０１００】
例えば、上記した実施形態では、サーバ４は、各種データを記憶部４５に記憶し、各種表示画面を端末表示部２４に表示させるものとしたが、これに限られるものではない。例えば、サーバ４が、各種データを記憶部４５に記憶し、各種表示画面をサーバ表示部４４に表示させるように構成されていても良い。また、携帯端末２ａが、各種データを記憶部２５に記憶し、各種表示画面を端末表示部２４に表示するように構成されていても良く、この場合には携帯端末２ａ自体が広告管理装置として機能する。
【０１０１】
また、上記した実施形態では、広告管理システム１が、通信ネットワークＮを介して接続される印刷装置１１を備えているものとしたが、これに限られるものではない。例えば、印刷装置１１を備えていないものとしても良いし、印刷装置１１がＵＳＢ（ＵｎｉｖｅｒｓａｌＳｅｒｉａｌＢｕｓ）ケーブル等の通信ケーブルを介してユーザ端末に接続されているものとしても良い。
【０１０２】
また、上記した実施形態では、ＰＯＰの用途として、店外用のポスター、店内用のポスター、スマートホン向けのホームページ、ＰＣ向けのホームページ、及び、ＳＮＳ投稿用の画像を挙げたが、これらに限られるものではない。例えば、新規開店を知らせたり、セール等のイベントの開催等を知らせたりする所謂チラシをＰＯＰの用途としても良い。この場合には、入力画面５においてユーザにより入力される入力情報としては、例えば、日付、商品名、価格、コメント、画像データ等が挙げられる。
【０１０３】
また、上記した実施形態では、作成された複数種のＰＯＰ候補データをプレビュー画面（図示略）において一つずつ順番に表示されるものとしたが、これに限られるものではなく、例えば、作成された複数種のＰＯＰ候補データが複数ずつ順番に表示されるものとしても良いし、一覧表示されるものとしても良い。
【０１０４】
また、上記した実施形態では、ＰＯＰデータ構成要素の項目ごとに学習値が導出されるものとしたが、これに限られるものではない。すなわち、ＰＯＰデータ構成要素ごとに学習値が導出されるものとしても良い。例えば、レイアウト種Ｌ１、Ｌ２、・・・、Ｌ４０、アイキャッチ種ｉ１、ｉ２、・・・、ｉ４０に対してそれぞれ学習値が導出され、書体、フォント色、背景、枠及びイラストの各ＰＯＰデータ構成要素に対しても同様に学習値が導出されるものとしても良い。
【０１０５】
また、上記した実施形態では、上記式（１）に従って学習値を算出するものとしたが、これに限られるものではなく、ユーザによるＰＯＰ候補データの選択結果に基づき学習値を算出するものであれば、いずれの条件で学習値を算出しても良い。例えば、ユーザにより選択されたＰＯＰ候補データに含まれるＰＯＰデータ構成要素に対してポイントを付与し、過去に付与されたポイントの合計値を学習値として算出しても良い。また、例えば、ステップＳ１０６において２５種のＰＯＰ候補データが表示されてからステップＳ１０９でいずれかが選定されるまでの時間を考慮して学習値を算出するものとしても良い。
【０１０６】
また、上記した実施形態では、学習値を算出し、学習値データテーブル４５４を更新するものとしたが、これに限られるものではない。例えば、学習値を算出しないものとしても良いし、記憶部４５に学習値データテーブル４５４が記憶されていないものとしても良い。また、この場合には、第１取得処理において、レイアウト種の評価値の算出に学習値を用いないものとしても良く、例えば、第２取得処理と同様にして、入力されたテキスト情報を形態素解析して抽出された形態素に基づいて、レイアウト種の評価値を算出するものとしても良い。一方で、第２取得処理において、評価値の算出に学習値を用いるものとしても良い。
【０１０７】
また、上記した実施形態では、第１及び第２取得処理において、記憶部４５に記憶されている全てのＰＯＰデータ構成要素の中から評価値に基づき特定のＰＯＰデータ構成要素を取得するものとしたが、これに限られるものではない。例えば、ＣＰＵ４１は、ユーザ情報や計時部４７により特定される現在の季節・イベント等に基づいて、あらかじめ記憶部４５に記憶されている全てのＰＯＰデータ構成要素からいずれかを抽出しておき、第１及び第２取得処理において、当該抽出されたものの中から評価値に基づき特定のＰＯＰデータ構成要素を取得するものとしても良い。例えば、ユーザ情報が「中華料理店」の業種・業態を示す場合には、ＣＰＵ４１はあらかじめ「中華向け」の項目の特性値が「１」に設定されているＰＯＰデータ構成要素を抽出しておき、それらの中から評価値に基づき特定のＰＯＰデータ構成要素を取得するものとしても良い。
また、例えば、ＣＰＵ４１は、ユーザによる操作入力に基づいて、あらかじめ記憶部４５に記憶されている全てのＰＯＰデータ構成要素からいずれかを抽出しておき、第１及び第２取得処理において、当該抽出されたものの中から評価値に基づき特定のＰＯＰデータ構成要素を取得するものとしても良い。
【０１０８】
また、上記した実施形態では、第２取得処理において、アイキャッチ、書体、フォント色、背景、枠、イラストの各ＰＯＰデータ構成要素を５種ずつ選定するものとしたが、これに限られるものではない。例えば、これらのうち書体、フォント色、背景、枠及びイラストのうちいずれかを選定しないものとしても良いし、これらのうちいずれかがあらかじめ所定のものに設定されているものとしても良い。
【０１０９】
また、上記した実施形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【０１１０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザにより入力された広告の用途に基づき、広告を構成する広告構成要素としてのレイアウトを選定する第１の選定手段と、
ユーザにより入力されたテキスト情報を形態素解析して形態素を抽出する抽出手段と、
前記抽出手段により抽出された形態素に基づき、前記レイアウト以外の広告構成要素を選定する第２の選定手段と、
前記第１の選定手段により選定されたレイアウトと、前記第２の選定手段により選定された前記レイアウト以外の広告構成要素と、を組み合わせて広告候補を作成する作成手段と、
を備えることを特徴とする広告管理装置。
＜請求項２＞
前記広告の用途は、店外用のポスター、店内用のポスター、スマートホン向けのホームページ、ＰＣ向けのホームページ、及び、ＳＮＳ投稿用の画像のいずれかであることを特徴とする請求項１に記載の広告管理装置。
＜請求項３＞
前記第１の選定手段は、前記広告の用途に応じた所定の条件を満たすレイアウト候補ごとに評価値を導出し、導出された評価値に基づいてレイアウトを選定することを特徴とする請求項１又は２に記載の広告管理装置。
＜請求項４＞
前記第１の選定手段は、さらにユーザにより入力された画像データの数量に基づき、前記レイアウト候補を抽出することを特徴とする請求項３に記載の広告管理装置。
＜請求項５＞
前記テキスト情報は、対象となる商品又は役務の名称、及びキャッチコピーのいずれかであることを特徴とする請求項１〜４のいずれか一項に記載の広告管理装置。
＜請求項６＞
前記第２の選定手段は、前記抽出手段により抽出された形態素から、前記レイアウト以外の広告構成要素ごとに評価値を導出し、導出された評価値に基づいて広告構成要素を選定することを特徴とする請求項１〜５のいずれか一項に記載の広告管理装置。
＜請求項７＞
コンピュータを、
ユーザにより入力された広告の用途に基づき、広告を構成する広告構成要素としてのレイアウトを選定する第１の選定手段、
ユーザにより入力されたテキスト情報を形態素解析して形態素を抽出する抽出手段、
前記抽出手段により抽出された形態素に基づき、前記レイアウト以外の広告構成要素を選定する第２の選定手段、
前記第１の選定手段により選定されたレイアウトと、前記第２の選定手段により選定された前記レイアウト以外の広告構成要素と、を組み合わせて広告候補を作成する作成手段、
として機能させることを特徴とするプログラム。
【符号の説明】
【０１１１】
１  広告管理システム
４  サーバ
４１  ＣＰＵ
４２  操作入力部
４３  ＲＡＭ
４４  サーバ表示部
４５  記憶部
４６  通信部
４７  計時部
４８  バス
【図１】
2019169140.tif 000003
【図２】
2019169140.tif 000004
【図３】
2019169140.tif 000005
【図４】
2019169140.tif 000006
【図５】
2019169140.tif 000007
【図６】
2019169140.tif 000008
【図７】
2019169140.tif 000009
【図８】
2019169140.tif 000010
【図９】
2019169140.tif 000011
【図１０】
2019169140.tif 000012
【図１１】
2019169140.tif 000013
【図１２】
2019169140.tif 000014
【図１３】
2019169140.tif 000015
【図１４】
2019169140.tif 000016
【図１５】
2019169140.tif 000017
【図１６】
2019169140.tif 000018
【図１７】
2019169140.tif 000019
【図１８】
2019169140.tif 000020
【図１９】
2019169140.tif 000021